(57)【要約】【課題】  原稿セット部にセットされた原稿から画像情報を読み取って送信するダイレクト送信機能を有し、該ダイレクト送信状態における予約設定において、操作性を容易にして管理を良好にしたファクシミリ装置を提供すること。【解決手段】  原稿セット部にセットされた原稿から画像情報を読み取って送信するダイレクト送信機能を有し、前記ダイレクト送信を行う際に回線が使用されており送信が行えない場合には、予約設定部１６によって送信予約の設定が可能なファクシミリ装置１０において、前記予約設定部１６によって送信予約が設定されている状態で前記原稿セット部にセットされた原稿が正常なセット状態でないことを検出する原稿セット状態検出部１４と、前記原稿セット状態検出部１４の検出出力により前記原稿が正常なセット状態でないことを報知する報知データ発生部１５及び表示部１７と、を備える。【選択図】    図１
2006074139.tif 000002
【特許請求の範囲】
【請求項１】
原稿セット部にセットされた原稿から画像情報を読み取って送信するダイレクト送信機能を有し、前記ダイレクト送信を行う際に回線が使用されており送信が行えない場合には、予約設定手段によって送信予約の設定が可能なファクシミリ装置において、
前記予約設定手段によって送信予約が設定されている状態において前記原稿セット部にセットされた原稿が正常なセット状態でないことを検出する検出手段と、
前記検出手段の検出出力により前記原稿が正常なセット状態でないことを報知する報知手段と、
を備えてなることを特徴とするファクシミリ装置。
【請求項２】
原稿セット部にセットされた原稿から画像情報を読み取って送信するダイレクト送信機能を有し、前記ダイレクト送信を行う際に回線が使用されており送信が行えない場合には、予約設定手段によって送信予約の設定が可能なファクシミリ装置において、
前記予約設定手段によって送信予約が設定されている状態において前記原稿セット部にセットされた原稿が正常なセット状態でないことを検出する検出手段と、
前記検出手段の検出出力により前記原稿が正常なセット状態でないことを報知する報知手段と、
前記送信予約が設定された状態で、かつ前記原稿が正常にセットされていない状態において、ダイレクト送信が開始可能になったことを検出した際には通信エラーとして記録するエラー記録手段と、
を備えてなることを特徴とするファクシミリ装置。
【請求項３】
前記エラー記録手段により通信エラーとして記録された旨をユーザに報知するエラー報知手段を更に備えることを特徴とする請求項２に記載のファクシミリ装置。
【発明の詳細な説明】
【技術分野】
【０００１】
本発明は、原稿セット部にセットされた原稿から画像情報を読み取って送信するダイレクト送信機能を有し、該画像情報のダイレクト送信時に回線が使用されていることにより設定部でもって予約状態を設定することを可能とするファクシミリ装置に関する。
【背景技術】
【０００２】
この種のファクシミリ装置は、一般的に、ダイレクト送信機能と共に、送信する画像情報を一旦メモリの中に蓄積した後に送信するメモリ送信機能を並存させており、ダイレクト送信機能とメモリ送信機能を選択して使用している。ダイレクト送信機能はメモリを必要としないため、特に多量の原稿を送信する場合に好適である。また、ユーザにとっては、原稿の読み取りを行うと同時に送信がなされるので、直接的に送信状態を確認できる利点がある。そのため、ダイレクト送信は比較的頻繁に用いられている。
【０００３】
従来、例えば、ダイレクト送信機能による送信技術として下記の特許文献１（特開平２−１８５１６４号公報）に示す技術が提案されている。これは、画像情報のダイレクト送信時に回線が使用中であれば予約状態を設定し、該予約状態で所望の操作を検出すると、予約状態を解除する。そして、この予約状態でダイレクト送信可能状態を検出すると、ダイレクト送信を開始するように動作するものである。具体的には、原稿をセットした状態で操作パネルのキー操作による宛先を入力して、「宛先管理レコード」に登録する。そして、回線の使用状況をチェックし、使用中でなければ、通常のダイレクト送信処理を行なう。しかし、相手方のファクシミリ装置からの受信中、あるいは、メモリ送信中であれば、ＲＡＭのフラグ領域に送信予約フラグをセットして送信処理の予約を終了する。予約設定は、ストップキーを押下して送信予約フラグをリセットするか、原稿を取り除く操作を行なうことによって解除することができる。
【特許文献１】特開平２−１８５１６４号公報（４２４頁、右下欄、下から２行目〜４２５頁、左上欄、上から４行目、４２６頁、右上欄、上から５行〜同頁、右下欄、上から９行）
【発明の開示】
【発明が解決しようとする課題】
【０００４】
しかしながら、前述した特許文献１で示すような従来技術にあっては、ダイレクト送信機能で予約設定した状態において、原稿セット部にセットされた原稿を故意でなくても誤って触れてしまい原稿セット部から落としてしまうと、予約設定が解除されてしまう。そのため、ユーザは予約設定後にファクシミリ装置から離れてしまうと原稿が正しくセットされていないために何時になっても送信がなされないという問題点があった。特に、ファクシミリ機能以外の機能をも有する複合機にあっては、第三者がコピー等をするために原稿セット部にセットされた送信待ちの原稿を取り除いてしまうことが多々あり、不測にもダイレクト送信機能の予約設定が解除されてしまうことがあった。よって、従来のファクシミリ装置ではダイレクト送信における予約設定を十分に活用できないという問題点があった。
【０００５】
そこで、本発明は、従来の問題点を解決したファクシミリ装置を提供することを目的とする。
【課題を解決するための手段】
【０００６】
前記目的を達成するために、本願の請求項１に記載の発明は、原稿セット部にセットされた原稿から画像情報を読み取って送信するダイレクト送信機能を有し、前記ダイレクト送信を行う際に回線が使用されており送信が行えない場合には、予約設定手段（例えば、予約設定部１６）によって送信予約の設定が可能なファクシミリ装置において、
前記予約設定手段によって送信予約が設定されている状態において前記原稿セット部にセットされた原稿が正常なセット状態でないことを検出する検出手段（例えば、原稿セット状態検出部１４）と、
前記検出手段の検出出力により前記原稿が正常なセット状態でないことを報知する報知手段（例えば、報知データ発生部１５と表示部１７等からなる報知手段）と、
を備えてなることを特徴とする。
【０００７】
また、本願の請求項２に記載の発明は、原稿セット部にセットされた原稿から画像情報を読み取って送信するダイレクト送信機能を有し、前記ダイレクト送信を行う際に回線が使用されており送信が行えない場合には、予約設定手段（例えば、予約設定部１６）によって送信予約の設定が可能なファクシミリ装置において、
前記予約設定手段によって送信予約が設定されている状態において前記原稿セット部にセットされた原稿が正常なセット状態でないことを検出する検出手段（例えば、原稿セット状態検出部１４）と、
前記検出手段の検出出力により前記原稿が正常なセット状態でないことを報知する報知手段（例えば、報知データ発生部１５と表示部１７等からなる報知手段）と、
前記送信予約が設定された状態で、かつ前記原稿が正常にセットされていない状態において、ダイレクト送信が開始可能になったことを検出した際には通信エラーとして記録するエラー記録手段（例えば、エラー発生データ用記録部１９）と、
を備えてなることを特徴とする。
【０００８】
また、本願の請求項３に記載の発明は、請求項２に記載のファクシミリ装置に係り、前記エラー記録手段により通信エラーとして記録された旨をユーザに報知するエラー報知手段を更に備えることを特徴とする。
【発明の効果】
【０００９】
本願発明は上記の構成を備えることにより以下のような優れた効果を奏する。すなわち本願の請求項１に係る発明においては、ユーザが画像情報を送信するに当たり、ダイレクト送信機能において予約設定部でもって予約状態に設定した場合、前記原稿セット部にセットされた原稿が不用意に取り除かれたり、ずらされたりして読み取り不可能という正常なセット状態でなくなると、これを前記検出手段が検出し、この検出出力により前記報知手段が原稿の正常なセット状態でないことを報知する。従って、下記の効果を有するファクシミリ装置を提供できる。
第１に、ユーザは、前記報知手段の報知により不用意に原稿が取り除かれたり、ずらされたりして読み取り不可能になったことを認識でき、必要に応じて原稿をセットし直すことができる。そのため、原稿の画像情報の送信ができないままで放置されてしまうことを回避できる。
第２に、原稿を前記原稿セット部にセットし直せば予約状態に復帰するので、ユーザとってはあらためて予約設定をする必要がなくなり操作が簡単になる。
【００１０】
また、本願の請求項２に係る発明においては、ユーザが画像情報を送信するに当たり、ダイレクト送信機能において前記予約設定部でもって予約状態に設定した場合、前記原稿セット部にセットされた原稿が不用意に取り除かれたり、ずらされたりして読み取り不可能という正常なセット状態でなくなると、これを前記検出手段が検出し、この検出出力により前記報知手段が原稿の正常なセット状態でないことを報知する。そして、前記エラー記録報知手段が予約状態で前記原稿が正常にセットされていない状態でダイレクト送信が開始可能になったことを検出し通信エラーの記録を出力する。従って、下記の効果を有するファクシミリ装置を提供できる。
第１に、ユーザは、前記報知手段の報知により不用意に原稿が取り除かれたり、ずらされたりして読み取り不可能になったことを認識でき、必要に応じて原稿をセットし直すことができる。そのため、原稿の画像情報の送信ができないままで放置されてしまうことを回避できる。
第２に、原稿を前記原稿セット部にセットし直せば予約状態に復帰するので、ユーザとってはあらためて予約設定をする必要がなくなり操作が簡単になる。
第３に、エラーの記録を行うことにより、ユーザはエラーデータを見て回線が使用できる状態になっても原稿を正常にセットし直していないのでエラー処理となされたことを知ることができる。よって、ダイレクト送信機能による予約設定下で発生したエラー処理の原因を知り得ることによりファクシミリ送信の管理が容易かつ確実に行なえる。
【００１１】
また、請求項３に係る発明においては、エラー記録部に記録した通信エラーのデータを、ユーザに例えばファクシミリ装置本体に設けられた表示手段等を利用して報知することにより、ユーザはダイレクト送信が行われなかったことに早急に気づくことができ、以ってファクシミリによる送信をより確実に行うことができるようになる。
【発明を実施するための最良の形態】
【００１２】
以下、図面を参照して本発明の最良の実施形態を説明する。但し、以下に示す実施形態は、本発明の技術思想を具体化するためのファクシミリ装置を例示するものであって、本発明をこれらに特定することを意図するものではなく、特許請求の範囲に含まれるその他の実施形態のものも等しく適応し得るものである。
【実施例１】
【００１３】
以下、本発明の実施例について図面を参照しながら説明する。図１は本発明の実施例におけるファクシミリ装置を示すブロック図、図２は本発明の実施例のファクシミリ装置における動作を示すフローチャートである。
【００１４】
図１において示すように、ファクシミリ装置１０は、送信部１１と、受信部１２と、モデム１３と、原稿セット状態検出部１４と、原稿が正常にセットされていないことを報知する報知データを発生する報知データ発生部１５と、ダイレクト送信での予約を設定する予約設定部１６と、各種の表示を行なう表示部１７と、メモリ送信機能の選択操作、ダイレクト送信機能の選択、予約設定操作等を行なう操作部１８と、通信のエラー発生を記録するエラー発生データ用記録部１９と、ＣＰＵからなり全体的な制御を行なう主制御部２０と、これら送信部１１、受信部１２、モデム１３等を接続するバス２１から構成されている。
【００１５】
送信部１１は原稿読み取り部１１１と符号化回路１１２とからなり、原稿読み取り部１１１は原稿セット部（図示せず）にセットされた原稿を読み取り画像データを得る。この画像データは符号化回路１１２によりにファクシミリ信号に変換され、モデム１３を介して回線へと送出するようになっている。
【００１６】
受信部１２は復号化回路１２１と印刷部１２２とからなり、回線へモデム１３を介して入来したファクシミリ信号を復号化回路１２１で印刷データに変換し、印刷部１２２で用紙に印刷するようになっている。
【００１７】
操作部１８は、メモリ送信機能とダイレクト送信機能との選択設定や、ダイレクト送信機能状態で予約を設定する予約設定等の操作が可能なキーなどが設けられている。そして、操作部１８の操作によって主制御部２０は夫々の機能を選択し、予約設定等を実行するための制御を行うようになっている。また、予約設定の解除は、操作部１８におけるストップキーの押圧操作によって実行されるが、このストップキーの押圧操作後に予約設定を解除してもよいか否かの問い合わせメッセージを表示部１７に表示して、ユーザによる確認の後に解除操作を行うようになっている。
【００１８】
原稿セット状態検出部１４は、ダイレクト送信における予約設定部１６による予約設定状態で原稿セット部にセットされた原稿が取り除かれたり、ずらされたりして正常にセットされておらず原稿読み取り部１１１による読み取りが不可能になったことを検出するものである。この検出出力は報知データ発生部１５に供給され、報知データ発生部１５において原稿が正常にセットされていない旨の報知データを発生するようになっている。報知データは表示部１７に供給され、原稿が正常にセットされていないことを報知する表示がなされるようになっている。
【００１９】
エラー発生データ用記録部１９は、予約設定状態において原稿セット状態検出部１４が原稿の正常なセットでないことを検出した条件下で、回線が回復したときにエラー発生を示すデータを記録するものである。このエラーデータは、回線が回復して送信部１１で送信を開始しようとしても原稿情報が原稿読み取り部１１１で読み取られないため、ファクシミリ送信ができなかったことを示すものである。そして、エラーデータはエラー発生データ用記録部１９から読み出して表示部１７でエラー発生として表示されるようになっている。
【００２０】
上述した構成によるファクシミリ装置１０の動作を図２に示すフローチャートによって説明する。先ずステップＳ１で示すように、操作部１８を操作してダイレクト送信機能状態に設定する。このダイレクト送信機能状態の設定においては原稿セット部に原稿がセットされている。次にステップＳ２において回線が空いているか否かを判別する。回線が空いていない場合は、ステップＳ３で示すように、予約設定による送信を行うか否かが判断され、予約設定による送信を行わない場合はそのまま処理を終了し、予約設定による送信を行う場合は、ステップＳ４に示すように、操作部１８を操作して予約設定部１６によって予約設定を行なう。この予約設定は操作部１８を操作して予約設定部１６において行なう。予約設定がなされている状態で原稿セット部にセットされた原稿が取り除かれたり、ずらされたりして原稿読み取り部１１１による読み取りが不可能になると、ステップＳ５で示すように、原稿セット状態検出部１４により原稿のセット状態が正常でないと判別される。この判別の検出出力により、ステップＳ６で示すように、報知データ発生部１５は原稿が正常にセットされていない旨の報知データを発生し、表示部１７においてユーザに対して原稿が正常にセットされていないことを報知する。ユーザは表示部１７における報知によって原稿を原稿セット部にセットし直すが、ステップＳ７で示すようにセットし直されたか否かが原稿セット状態検出部１４によって判別される。ステップＳ７において、まだ正常にセットし直されていないと判断された状態で、次のステップＳ８で示すように回線が空いたか否かが判断される。このとき回線が空いていないと判断されるとステップＳ７に戻り、他方、回線が空き、ダイレクト送信が可能であると判断されると、ファクシミリ装置１０としては原稿が無いので読み取りが不可能なため、その結果、前記ステップＳ４で設定された予約設定処理はエラーとして処理される。この場合はステップＳ９で示すように、主制御部２０によりエラー発生データ用記録部１９に予約設定の条件下でのエラー発生を示すデータを記録する。このエラーデータは、エラー発生データ用記録部１９から読み出して表示部１７において表示され、この表示によりユーザは回線が空いても原稿がセットされていないことによりファクシミリ送信ができなかったことを知る。その後は、ユーザは所望により操作部１８を操作して再度のダイレクト送信を行なう等の処理を行う。
【００２１】
前記ステップＳ２において、回線が空いている場合は、ステップＳ１０で示すようにダイレクト送信が実行される。このダイレクト送信は、原稿セット部にセットされた原稿を原稿読み取り部１１１で読み取って符号化回路１１２でファクシミリ信号に変換し、モデム１３を介して回線に送出することにより相手のファクシミリ装置へと送信するものである。
【００２２】
また、前記ステップＳ５において、原稿のセット状態が正常であると判別された場合は、ステップＳ１１で示すように回線が空いたか否かが判別される。回線が空いていない場合はステップＳ５に戻り、実質的に回線空き待ち状態となり、回線が空くとステップＳ１２で示すようにダイレクト送信が実行される。
【００２３】
更にまた、前記ステップＳ７において、原稿をセットし直すとステップＳ１３で示すように原稿セット状態検出部１４がこれを検出して表示部１７における原稿が正常にセットされていない旨の報知動作を停止した後、ステップＳ５に戻る。
【００２４】
従って、上述した本発明の一実施例に係るファクシミリ装置１０においてユーザが画像情報を送信するに当たり、操作部１８を操作してダイレクト送信機能を選択し、更に回線が空いていない場合に操作部１８を操作して予約設定部１６で予約設定を行なうと、この予約設定では、原稿セット部に原稿がセットされていて回線が空くと自動的にファクシミリ送信が実行されるが、それまでに、セットされた原稿が不用意に取り除かれたり、ずらされたりすると、これを原稿セット状態検出部１４が検出する。この検出出力により、報知データ発生部１５が原稿のセット状態が正常でないことを報知データとして発生し、原稿が正しくセットされていない旨を表示部１７で表示する。そしてユーザは、表示部１７の表示により原稿が原稿セット部に正常にセットされていないことを知り原稿のセットし直しを行なうことができる。そのため、原稿の画像情報の送信ができないままで放置されてしまうことを回避でき、また、原稿を原稿セット部にセットし直せば予約状態に復帰するので、ユーザとってはあらためて予約設定をする必要がなくなり操作が簡単となる。
【００２５】
一方、エラー発生データ用記録部１９は、原稿が取り除かれて正常にセットされていない状態で回線が空き、ダイレクト送信が開始可能になった場合、原稿からの画像情報の読み取りができず送信が不可能となるのでこれを検出し通信エラーを記録する。そして、このエラーデータはエラー発生データ用記録部１９から読み出されて表示部１７で表示される。そのため、ユーザは、回線が使用できる状態になっても原稿をセットし直すことができないでエラー処理となされたことを知ることができるので、ダイレクト送信機能による予約設定下におけるファクシミリ送信の管理が容易かつ確実に行なえる。
【００２６】
尚、本発明は、その実施例において、ファクシミリ装置１０は単独の機器としたが、これに限定されることなく、例えば、複合機に組み込んで複写機能等と並存して機能するようにしてもよい。特にこのような複合機にあっては、ダイレクト送信の予約設定状態で原稿セット部にセットされた原稿が複写を行おうとする第三者によって取り除かれることが多々あるが、本発明を適応すれば、送信予約機能をより良好に使用できるだけでなく、不正な割り込みを防止する効果をも期待できる。
【００２７】
尚また、本発明は、その実施例において、各種の報知、表示等はファクシミリ装置１０に設けた表示部１７によって行っているが、これに限定されることなく、ファクシミリ装置がネットワークを介してパーソナルコンピュータによって管理されるようにして、例えば、パーソナルコンピュータのディスプレイを表示部１７とするようにしてもよい等その構成を種々変更してもよい。
【００２８】
尚また、本発明は、その実施例において、原稿が正常にセットされていない旨の報知を表示部１７における文字、記号等によって行なったが、これに限定されることなく、アラーム音声発生手段、発光ダイオードによる発光手段等の種々の手段をとることができる。
【００２９】
尚また、本発明は、その実施例において、符号化回路１１２、復号化回路１２１、報知データ発生部１５等を別ブロックとしたが、例えば、これらを単一の集積回路に一体に組み込んで構成するようにしてもよい等その形態を種々変更してもよい。
【図面の簡単な説明】
【００３０】
【図１】図１は、本発明の実施例におけるファクシミリ装置を示すブロック図である。
【図２】図２は、本発明の実施例のファクシミリ装置における動作を示すフローチャートである。
【符号の説明】
【００３１】
１０          ファクシミリ装置
１１          送信部
１２          受信部
１３          モデム
１４          原稿セット状態検出部
１５          報知データ発生部
１６          予約設定部
１７          表示部
１８          操作部
１９          エラー発生データ用記録部
２０          主制御部
１１１        原稿読み取り部
１１２        符号化回路
１２１        復号化回路
１２２        印刷部
【図１】
2006074139.tif 000003
【図２】
2006074139.tif 000004